(57)【要約】【課題】コンパクトで製造及び使用が容易であり、視覚障害及び聴覚障害者等に利用可能な、点字の送受信装置を提供する。【解決手段】接触グループを含む点字を使用して情報を受信及び送信する手袋の形態のデバイス、及び視覚、聴覚及び声の障害のある人々によって前記デバイスを使用して情報を受信及び送信する方法に関する。送受信装置は、例えば織物材料からなり、互いに接触すると点字で盛り上がった点として定義された信号を生成し送信する接触部と、点字の隆起ドットとして定義される信号を受信するために使用される振動信号装置とを備える。また、送受信装置は、信号を送受信し、情報を分析及び変換するための制御部を備えることができる。制御部は、接触部及び振動信号装置に配線によって接続される。情報の送受信方法は、点字をアルファベット又は音声に変換するソフトウェアがインストールされたコンピュータ又はスマートフォンに接続された送受信装置を用いて行われる。【選択図】図１
2019503515.tif 000002
【特許請求の範囲】
【請求項１】
手袋の形態である、点字に関する情報の送受信装置であって、
複数の接触部と、複数の振動信号装置とを備え、
前記複数の接触部は、互いに接触したときに、点字の隆起ドットとして定義される情報を生成するとともに送信し、
前記振動信号装置は、点字の隆起ドットとして定義される情報を受信する、情報の送受信装置。
【請求項２】
請求項１に記載の送受信装置であって、
前記複数の接触部は、複数の指の指先と、掌と、に配置される、送受信装置。
【請求項３】
請求項１に記載の送受信装置であって、
追加の接触部を２つ更に備え、
前記追加の接触部は、人差し指の外側に配置される、送受信装置。
【請求項４】
請求項１に記載の送受信装置であって、
前記複数の接触部は、導電性材料で構成される、送受信装置。
【請求項５】
請求項１に記載の送受信装置であって、
前記振動信号装置は、指のうち末節骨の後側と、手の甲とに配置される、送受信装置。
【請求項６】
請求項１に記載の送受信装置であって、
固定部材を更に備え、
前記固定部材は、手首に配置される、送受信装置。
【請求項７】
請求項１〜請求項６の何れか１つに記載の情報の前記送受信装置を用いて点字に関する情報を送受信する方法であって、
点字の隆起ドットとして定義される送信信号を生成するステップと、
前記送受信装置が受信した受信信号を、前記振動信号装置における対応振動に変換するステップと、
前記送受信装置に接続されたコンピュータ又はスマートフォンにインストールされたソフトウェアにより、点字をアルファベット又は音声に変換し、アルファベット又は音声を点字に変換するステップと、を備え、
前記送信信号は、前記複数の接触部間において順次又は同時になされる接触のパターンに応じて形成される、方法。
【請求項８】
請求項１〜請求項６の何れか１つに記載の情報の送受信装置であって、
制御部を更に備え、
前記制御部は、情報の送受信と、情報の分析及び変換とをするものであり、
前記制御部は、前記複数の接触部と前記振動信号装置とに配線によって接続されている、送受信装置。
【請求項９】
請求項８に記載の送受信装置であって、
前記制御部は、コンピュータ又はスマートフォンに情報を送受信するため、配線又はワイヤレス接続によってコンピュータ又はスマートフォンに接続するように構成される、送受信装置。
【請求項１０】
請求項９に記載の送受信装置であって、
情報の送受信を、Bluetooth又はWi-Fiによって行う、送受信装置。
【請求項１１】
請求項８〜請求項１０の何れか１つに記載の情報の前記送受信装置を用いて点字に関する情報を送受信する方法であって、
送信信号を生成するステップと、
受信信号を前記振動信号装置における対応振動に変換するステップと、
前記送受信装置と、コンピュータ又はスマートフォンとの間においてやりとりされる送受信信号を制御ブロックによって送受信するステップと、を備え、
前記送信信号は、前記制御部によって点字の隆起ドットとして定義される信号であり、
前記受信信号は、前記制御部によって点字の隆起ドットとして定義される信号であり、
前記送信信号は、前記複数の接触部間において順次又は同時になされる接触のパターンに応じて形成される、方法。
【請求項１２】
請求項１１に記載の方法であって、
点字と、アルファベット又は音声との変換を、前記送受信装置に接続されたコンピュータ又はスマートフォンにインストールされたソフトウェアによって行う、方法。
【請求項１３】
請求項１１に記載の方法であって、
前記制御部は、コンピュータ又はスマートフォンに情報を送受信するため、配線又はワイヤレス接続によってコンピュータ又はスマートフォンに接続するように構成される、方法。
【請求項１４】
請求項１３に記載の方法であって、
前記制御部は、Bluetooth又はWi-Fiによってコンピュータ又はスマートフォンに接続するように構成される、方法。
【発明の詳細な説明】
【技術分野】
【０００１】
本発明は、情報技術に関するものであり、コンピューター、モバイル又はスマートフォン、電子装置、記録装置及び制御システムを使用してルイ・ブライユの触覚隆起ドットシステムによって符号化された情報を触覚で送受信する過程で使用される。
本発明は、視力障害、聴覚障害、及び／又は発語障害のある人の通信能力を拡大するとともにこれらの人の不自由を緩和する。
特に、本発明は、点字の隆起ドットとして定義される送信信号を生成するために使用される接触部と、点字の隆起ドットとして定義される信号を受信するために使用される振動信号デバイスと、を有する手袋形態の装置である。この装置は、点字を用いて情報を送受信する本発明に係る方法に従って使用される。
【背景技術】
【０００２】
現在、点字表示装置は、通常、盲目又は視覚障害者の情報を送受信するために使用されている。点字表示装置の点字ディスプレイは、平らな面に点字の隆起ドットを形成する電気機械的装置であり、当該隆起ドットは指先の触覚によって読み取られる。これらの装置は、USB又はBluetoothインターフェースを介してコンピュータに繋がる、ソフトウエアを有するキーボード、マニュアルコントローラ、及びアクチュエーターとして動作します。しかしながら、そのような装置は非常に高価で煩雑であり、視覚的、聴覚的及び声の障害のある人々と他の人々とのモバイルコミュニケーションや状況に応じたコミュニケーションが実現できない。
【先行技術文献】
【特許文献】
【０００３】
【特許文献１】米国特許第５５７１０２０号
【特許文献２】ロシア連邦特許第２１４１６８５号
【発明の概要】
【発明が解決しようとする課題】
【０００４】
米国特許第５５７１０２０号は、キーボードの学習を支援するための教育装置を開示している。この装置は、手袋のセットと手袋の指に付けられたドットとを含み、コンピュータキーボードの絵画的及び英数字の表現を提供する。手袋の視覚的及び触覚的記憶は、物語的な教育方法によって提供される聴覚的及び連想的記憶によって補完される。しかしながら、開示された装置は、視覚にも聴覚にも発話にも障害のある人々と、他の人々との点字を使用した通信を意図せず、そのような通信を可能にしない。
【０００５】
本発明の関連技術としてロシア連邦第２１４１６８５号の特許に開示されている情報入力装置及び方法がある。この情報入力装置は、支持体上に配置されコントローラに接続された触覚要素を備えている。触覚要素は、少なくとも１つの指における指節の少なくとも1つに配置及び固定され、可撓性又は弾性を有し、また、導電性コーティングを有する。また、触覚要素は、同じ手の親指の指節のアクセス領域に配置されている。触覚要素には点字マトリックスが配置されており、また、触覚要素は指の皮膚表面に設けられる電磁振動デバイス等の触覚感度センサを備える。
この情報入力装置は、複雑で使いにくい。なぜなら、各触覚要素に点字マトリックスが配置されているにもかかわらず、受け取った点字には、そのようなマトリックスが使用されているという、明確な解釈が与えられていないからである。
【０００６】
本発明の目的は、コンパクトで製造及び使用が容易であり、視覚障害及び聴覚障害者等に利用可能な、点字の送受信装置を提供することである。
【課題を解決するための手段】
【０００７】
この目的は、手袋の形態である、点字に関する情報の送受信装置であって、複数の接触部と、複数の振動信号装置とを備え、前記複数の接触部は、互いに接触したときに、点字の隆起ドットとして定義される情報を生成するとともに送信し、前記振動信号装置は、点字の隆起ドットとして定義される情報を受信する、情報の送受信装置、によって達成される。
【０００８】
点字情報は、接触的な方法を使用して伝達され、触覚的な方法によって受け取られる。
この送受信装置は、点字を用いてデータを送受信する方法に用いられる。
【０００９】
この送受信装置は操作が簡単で使いやすい。視覚障害者、聴覚障害者及び発語障害者と、他の人々とのコミュニケーション、特にスマートフォンを使用したモバイルコミュニケーションや状況に応じたコミュニケーションを可能にします。
【００１０】
本発明の実施形態は、互いを通信可能に接続する複数の接触部を用いることで、点字の隆起ドットとして定義される信号を生成及び送信する手袋の形態の送受信装置である。また、本発明の実施形態は、振動信号装置を用いることで、点字の隆起ドットとして定義される信号を受信する。本発明の実施形態に係る送受信装置の接触部は、導電性材料で構成される。
【００１１】
本発明のいくつかの実施形態に係る送受信装置は、複数の接触部を備える。この接触部は、信号を生成及び送信するために使用され、また、この接触部は、指先及び掌に配置される。
【００１２】
本発明のいくつかの実施形態に係る送受信装置は、追加の接触部を２つ備える。この２つの接触部は、人差し指の外側に位置する。
【００１３】
本発明のいくつかの実施形態に係る送受信装置は、振動信号装置を備える。この振動信号装置は、指のうち末節骨の後側と、手の甲とに配置される。
【００１４】
本発明のいくつかの実施形態に係る送受信装置は、固定部材を備える。固定部材は、手首に配置される。
【００１５】
本発明の別の実施形態は、上述した本発明の実施形態に係る送受信装置を用いて点字情報を送受信する方法である。
当該方法は、点字の隆起ドットとして定義される送信信号を生成するステップと、当該送受信装置が受信した受信信号を、当該送受信装置の振動信号装置における対応振動に変換するステップと、当該送受信装置に接続されたコンピュータ又はスマートフォンにインストールされたソフトウェアにより、点字をアルファベット又は音声に変換し、アルファベット又は音声を点字に変換するステップとを備える。上述した送信信号は、当該送受信装置の接触部間において順次又は同時になされる接触のパターンに応じて形成される。
【００１６】
本発明の別の実施形態に係る、手袋の形態である、点字に関する情報の送受信装置は、制御部を更に備えている。制御部は、情報の送受信と、情報の分析及び変換とをするものである。制御部は、複数の接触部と振動信号装置とに配線によって接続されている。
【００１７】
本発明のいくつかの実施形態に係る送受信装置において、前記制御部は、コンピュータ又はスマートフォンに情報を送受信するため、配線又はワイヤレス接続によってコンピュータ又はスマートフォンに接続するように構成される。
【００１８】
本発明のいくつかの実施形態に係る送受信装置において、情報の前記送受信を、Bluetooth又はWi-Fiによって行う。
【００１９】
本発明の別の実施形態は、上述した本発明の実施形態に係る送受信装置を用いて点字情報を送受信する方法である。
当該方法は、点字の隆起ドットとして定義される送信信号を生成するステップと、当該装置が受信した受信信号を、当該送受信装置の振動信号装置における対応振動に変換するステップと、コンピュータ又はスマートフォンとの間においてやりとりされる送受信信号を制御ブロックを介して送受信するステップとを備える。上述した送信信号は、当該送受信装置の接触部間において順次又は同時になされる接触のパターンに応じて形成される。
【００２０】
本発明のいくつかの実施形態に係る方法は、点字と、アルファベット又は音声との変換を、前記送受信装置に接続されたコンピュータ又はスマートフォンにインストールされたソフトウェアによって行う。
【００２１】
本発明のいくつかの実施形態に係る方法において、制御部は、配線又はワイヤレス接続によってコンピュータ又はスマートフォンに接続される。
【００２２】
本発明のいくつかの実施形態に係る方法において、制御部は、Bluetooth又はWi-Fiによってコンピュータ又はスマートフォンに接続される。
【図面の簡単な説明】
【００２３】
【図１】本発明の実施形態に係る送受信装置の接触部と手首に固定される固定部材とを示している。接触部２〜７は、接触部２〜７間の接触を順次に形成するときに用いられる。当該接触パターンは、点字の隆起ドットに対応している。追加の接触部Ａ、Ｂは、人差し指の外側に配置され、当該接触の同時形成に用いられる。
【図２】本発明の実施形態に係る送受信装置の、振動信号装置と、振動信号装置に配線で接続された制御部とを示している。
【図３】接触部間の接触を順次に形成する場合における、接触パターンと隆起ドットとの対応を示している。
【図４】接触部間の接触を同時に形成する場合における、接触パターンと隆起ドットとの対応を示している。
【００２４】
本発明の情報の送受信装置は、情報を送信するための接触方法と、情報を受信するための触覚方法とを適用する。当該接触方法を用いてデータを送信するには、触覚を使用する必要はない。更に、触覚的方法を用いてデータを受信するには、点字の隆起ドットのテクスチャに注意をする必要はない。情報は、手に装着される手袋に配置された接触部間の接続を介して、伝達される。当該接触部間の接続は、自由に、順次に、又は、同時になされる。受信信号の内容は、振動信号装置によって生成された振動により、知覚される。
【発明を実施するための形態】
【００２５】
実施形態．
本発明の送受信装置の実施形態は、図１及び図２に示す通りである。なお、本発明の送受信装置の形態は、図１及び図２に示す形態に限定されるものではない。
【００２６】
本実施形態に係る送受信装置は、手袋１の形態である。手袋１は、好ましくはテキスタイル又はその他の適切な非導電性材料で構成される。実施形態に係る送受信装置は、導電性材料で構成される複数の接触部を備える（図１参照）。接触部は、親指２、人差し指３、中指４、薬指５、小指６及び掌７にそれぞれ設けられている。親指２、人差し指３、中指４、薬指５及び小指６に設けられる接触部は、好ましくは指先に配置される。接触部は、点字の隆起ドットに対応する、接触部間の接触パターンを順次形成することに使用される。
【００２７】
いくつかの実施形態に係る送受信装置は、２つの追加の接触部Ａ、Ｂを更に備えていてもよい。接触部Ａ、Ｂは、人差し指の外側に配置される。接触部Ａ、Ｂは、他の接触部と同様、点字の隆起ドットに対応する、接触部間の接触パターンの同時形成に使用することができる。
【００２８】
接触部間の接触パターンと点字の隆起ドットとの関連性を、本発明に係る情報の送受信方法を説明する過程において、詳細に説明する。
【００２９】
実施形態に係る送受信装置は、振動信号装置８を更に備える。振動信号装置８は、受信情報（図２）を提供する。振動信号装置８は、好ましくは、指のうち末節骨の後側の部分と、手の甲の部分とに配置される。
【００３０】
いくつかの実施形態に係る送受信装置は、固定部材１３を備える。固定部材１３は、手首に配置される。
【００３１】
接触部及び振動信号装置は、ソフトウェアを有するコンピュータに接続される。ここで、当該コンピュータのソフトウェアは、接触部から送信される信号を点字の隆起ドットに対応づけることで、点字をアルファベットや音声に変換することができる。また、このソフトウェアはアルファベットや音声を点字に変換し、コンピュータが当該変換した点字を振動信号装置に送信する。
【００３２】
振動信号装置と点字の隆起ドットとの関連性を次に詳細に説明する。
【００３３】
最も好ましい実施形態に係る送受信装置は、制御部１０を備える。制御部１０は配線９を介して接触部と振動信号装置８とに接続されており、制御部１０は接触部及び振動信号装置８とやりとりするデータの分析及び変換を行う。制御部１０は、設定ボタン１１と、隆起ドット１２とを備える。隆起ドット１２は、隆起ドット１２が設けられている位置に、設定ボタン１１があることを示している（図２参照）。
【００３４】
最も好ましい実施形態に係る送受信装置は、無線を介して信号を送信及び受信するために、コンピュータ又はスマートフォンに接続される。実施形態に係る送受信装置とコンピュータ又はスマートフォンとの間の信号の送受信は、Bluetooth又はWi-Fiによって行われる。最も好ましい実施形態では、送受信装置に設けられた制御部１０は、接触部によって生成された送信信号を点字に変換し、コンピュータ又はスマートフォンに送信する。また、制御部１０は、コンピュータから受信信号を受信し、振動信号装置に送信する。この受信信号は、特定の点字の隆起ドットに対応している。アルファベット又は音声から点字への変換、及び、点字からアルファベット又は音声への変換は、コンピュータ又はスマートフォンにインストールされたソフトウェアによって実行される。
【００３５】
携帯型スマートフォンを使用すると、情報を受信して送信するシンプルで容易な方法のコミュニケーションが可能になる。また、携帯型スマートフォンを使用すると、視覚的、聴覚的及び／又は声の障害のある人々と他の人々とのモバイルコミュニケーションや状況に応じたコミュニケーションが可能になる。
【００３６】
本発明の実施形態に係る送受信装置は以下のように動作する。
点字の隆起ドットとして定義され、送信される、文字信号又はデジタル信号は、実施形態に係る送受信装置の指先及び掌の接触部間において順次又は同時になされる接触のパターンの形成によって、生成され、送受信される。特定の接触部間の接触は、点字における記号やサインや文字に対応する点を示している。本実施形態に係る送受信装置は、点字と各種文字等との間において整合性があれば、全ての当該各種文字に対して利用することができる。各種文字等はキーボードの全ての文字及び数字を指し、また、各種文字等の言語は、ラテン語やキリル文字等の各種の言語である。
【００３７】
本発明の実施形態に係るいくつかの方法において、点字の隆起ドットとして定義される信号が順次に生成され、送信されるときの、接触部間の接触と点字の隆起ドットとの対応関係は次の通りである（図３参照）。
中指の接触部４と掌の接触部７との接触はドット１に対応する。
薬指の接触部５と掌の接触部７との接触はドット２に対応する。
人差し指の接触部３と掌の接触部７との接触はドット３に対応する。
小指の接触部６と掌の接触部７との接触はドット４に対応する。
中指の接触部４と親指の接触部２との接触はドット５に対応する。
そして、薬指の接触部５と親指の接触部２との接触はドット６に対応する。
【００３８】
本発明の実施形態に係るいくつかの方法において、点字の隆起ドットとして定義される信号が順次に生成され、送信されるときの、接触部間の接触と点字の隆起ドットとの対応関係は次の通りである（図４参照）。
中指の接触部４と掌の接触部７との接触はドット１に対応する。
薬指の接触部５と掌の接触部７との接触はドット２に対応する。
人差し指の接触部３と掌の接触部７との接触はドット３に対応する。
小指の接触部６と掌の接触部７との接触はドット４に対応する。
人差し指の外側の接触部Ａと親指の接触部２との接触は、ドット５に対応する。
人差し指の外側の接触部Ｂと親指の接触部２との接触は、ドット６に対応する。
この対応関係の構成では、人差し指の外側の接触部Ａと親指の接触部２との接触、及び、人差し指の外側の接触部Ｂと親指の接触部２との接触を同時に実現でき、これにより、この対応関係の構成では、ドット５とドット６の両方を備える点字の文字を形成することができる。
【００３９】
例えば、ラテン語又はキリル文字の点字「А」を生成するには、中指の接触部４を掌の接触部７に接触させる。
ラテン語の点字「Ｃ」を生成するためには、中指の接触部４と薬指の接触部５を掌の接触部７に接触させる。キリル語の点字「Ｃ」を生成するためには、まず、薬指の接触部５と人差し指の接触部３を掌の接触部７に接触させ、その後、点字「Ｃ」を同時に生成する場合には、親指の接触部２と人差し指の外側の接触部Ａとを接触させ、点字「Ｃ」を順次生成する場合には、親指の接触部２と中指の接触部４とを接触させる。
【００４０】
送受信装置が点字を送信した後、点字の信号は、対応するアルファベットに変換され、対応する言語の文字（例えば、ロシア語、英語等）としてコンピュータ又はスマートフォンの画面に視覚的に表示される。更に、コンピュータ又はスマートフォンの画面に文字として表示された内容を、コンピュータ又はスマートフォンにインストールされたソフトウェアによって、音声に変換することも可能である。
【００４１】
本発明の実施形態に係るいくつかの方法では、当該情報がユーザーに送られるときにおいて、点字の隆起ドットで定義される受信信号が、振動信号装置の振動に変換される（図２参照）。
中指の振動信号装置はドット１に対応する。
薬指の振動信号装置はドット２に対応する。
人差し指の振動信号装置はドット３に対応する。
小指の振動信号装置はドット４に対応する。
親指の振動信号装置はドット５に対応する。
手の甲の振動信号装置はドット６に対応する。
ユーザーに送られる当該情報の形態は、コンピュータやスマートフォンの画面に表示されるテキストの形態や、送受信装置のユーザーに情報を伝達するための音声の形態である。
【００４２】
以上、本発明について詳細に説明したが、当業者であれば、変形や均等な置換が可能であり、そのような変更や置換をした態様は、特許請求の範囲に記載された本発明の技術的範囲に含まれる。
【図１】
2019503515.tif 000003
【図２】
2019503515.tif 000004
【図３】
2019503515.tif 000005
【図４】
2019503515.tif 000006
【国際調査報告】
2019503515.tif 000007